(57)【要約】      （修正有）【課題】設計変更を容易にでき、作業効率・緩衝機能をよくすることができる緩衝材、この緩衝材を含む包装物及びこの緩衝材を含む包装体を提供する。【解決手段】緩衝材１は、上側部材１０とこの上側部材に交差して配置するための下側部材２０とを有する底部材と、この底部材を支持するための側面部材３０と、を有し、この側面部材は、この底部材とこの側面部材とを係合するための開口部３２を有する。上側部材は、開口部に入れるために突出して設けられた第１の端部１１と、第１の端部より高さ方向に大きい第２の端部１２とを有し、下側部材は、開口部に入れるための部分を両端に有する。【選択図】図１
0003164316.tif 000002
【実用新案登録請求の範囲】
【請求項１】
上側部材と前記上側部材に交差して配置するための下側部材とを有する底部材と、
前記底部材を支持するための側面部材と、
を有する緩衝材であって、
前記側面部材は、周縁に沿って複数設けられ、前記底部材と前記側面部材とを係合する開口部を有することを特徴とするパッキング用緩衝材。
【請求項２】
前記底部材の少なくとも一部は、前記開口部に入っていることを特徴とする請求項１記載の緩衝材。
【請求項３】
前記上側部材は、前記開口部に入れるために突出して設けられた第１の端部と、前記第１の端部より高さ方向に大きい第２の端部とを有し、
前記下側部材は、前記開口部に入れるための部分を両端に有することを特徴とする請求項２記載の緩衝材。
【請求項４】
下縁に切り欠き部を有する第１の凹状基部と、前記第１の凹状基部の側縁の少なくとも一方から突出する第１の端部と、を有する上側部材と、
上縁に切り欠き部を有する第２の凹状基部と、前記第２の凹状基部の側縁の少なくとも一方から突出する第３の端部と、を有する下側部材と、
周縁に沿って並んだ複数の開口部を有する側面部材と、
を有することを特徴とするパッキング用緩衝材。
【請求項５】
前記上側部材は、前記凹状基部の側縁の一方に前記第１の端部を有し、前記凹状基部の側縁の他方に第２の端部を有し、
前記第２の端部は前記第１の端部よりも高さ方向に大きいことを特徴とする請求項４記載の緩衝材。
【請求項６】
前記側面部材は周縁の少なくとも一部に切り欠き部を有し、
前記切り欠き部は、前記第２の端部よりも高さ方向に大きいことを特徴とする請求項３又は５記載の緩衝材。
【請求項７】
前記上側部材又は前記下側部材は、前記上側部材と前記下側部材とを識別するための手段を有することを特徴とする請求項１、２又は４に記載の緩衝材。
【請求項８】
包装容器と、
前記包装容器に内包される請求項１乃至７のいずれかに記載の緩衝材と、
を含むことを特徴とする包装物。
【請求項９】
包装容器と、
前記包装容器に内包される被包装物と、
前記包装容器内で前記被包装物を支持する請求項１乃至７のいずれかに記載の緩衝材と、
を含むことを特徴とする包装体。
【考案の詳細な説明】
【技術分野】
【０００１】
本考案は、瓶入りの飲料や花瓶等の被包装物を包装する際に、被包装物を入れる化粧箱等の包装容器と被包装物との間に入れる緩衝材、この緩衝材を含む包装物及びこの緩衝材を含む包装体に関するものである。
【背景技術】
【０００２】
一升瓶や花瓶等の被包装物を包装容器に入れて輸送する際、揺れや衝撃が被包装物に加わることによって破損が生じる場合がある。このため、パッキング用の緩衝材を被包装物の周りに詰めることによって、被包装物を保護する手段がとられている。
【０００３】
この緩衝材には、被包装物及び包装容器の形状に合わせて立体的に組み立てられたダンボールや厚紙、成型された発泡スチロール等の立体形状のものが使用されている。特に、ダンボールや厚紙等による緩衝材は、製造・加工、保管や輸送等の面で優れたものであり、特許文献１及び２にも開示されている。
【先行技術文献】
【特許文献】
【０００４】
【特許文献１】実用新案登録第３０４８９０５号公報
【特許文献２】実用新案登録第３０４３４８９号公報
【考案の概要】
【考案が解決しようとする課題】
【０００５】
従来の立体形状の緩衝材は、被包装物及び包装容器の形状に合わせて形成されるから、被包装物及び包装容器の種類によって、緩衝材全体の形状を変える必要があった。また、このような緩衝材は、包装容器の形状に合わせて形成されるから、組み立てられた状態で包装容器に入れずらい場合があった。
【０００６】
緩衝材を複数のパーツに分割する手段もあるが、従来の構成を用いると、緩衝材を組み立てる際、緩衝材を包装容器内に入れる際や被包装物を入れる際等にパーツがずれることもあった。
【０００７】
従って、このような緩衝材を用いる場合、設計変更が困難である、作業効率が悪い、緩衝機能が低下するなどの不具合を生ずることがあった。
【０００８】
本考案は、このような不具合に鑑みてなされたものであり、設計変更を容易にし、作業効率・機能等をよくすることができる緩衝材、この緩衝材を含む包装物、この緩衝材を含む包装体を提供することを目的とする。
【課題を解決するための手段】
【０００９】
本考案の緩衝材は、パッキング用に用いられ、上側部材と前記上側部材に交差して配置するための下側部材とを有する底部材と、前記底部材を支持するための側面部材と、を有する緩衝材であって、前記側面部材は、周縁に沿って複数設けられ、前記底部材と前記側面部材とを係合する開口部を有することを特徴とする。
【００１０】
この構成によれば、緩衝材を側面部材と底部材とに分離できるから、被包装物又は包装容器に応じた緩衝材の設計変更を容易にすることができる。また、側面部材の開口部によって底部材の方向・配置が示されるから、緩衝材を側面部材と底部材に分離できる構成にしても、緩衝材の形状や各パーツの配置を保持して、緩衝材を包装容器に入れることができる。従って、作業効率・緩衝機能等をよくすることができる。なお、この構成の緩衝材は、平面形状であっても、立体形状に組み立てられた状態であってもよい。
【００１１】
また、本考案の緩衝材は、前記底部材の少なくとも一部が、前記開口部に入ることを特徴とする。
この構成によれば、側面部材と底部材とを位置合わせしやすく、また、底部材を側面部材に固定しやすくできる。
【００１２】
また、本考案の緩衝材は、前記上側部材が、前記開口部に入れるために突出して設けられた第１の端部と、前記第１の端部より高さ方向に大きい第２の端部とを有し、前記下側部材が、前記開口部に入れるための部分を両端に有することを特徴とする。
【００１３】
この構成によれば、第１の端部は開口部に入るため、開口部の形状に合わせて高さ方向に小さくなっているのに対して、第２の端部は開口部に入らないため、第１の端部よりも高さ方向に大きくなっている。このような第２の端部を有することによって、上側部材と下側部材とを容易に識別でき、また組立工程において上側部材と下側部材との方向・配置を特定しやすくできる。
【００１４】
さらに、このように識別された上側部材を上側に、下側部材を下側に用いる場合、両端ともに開口部に係合した下側部材に上側部材が支持される。これにより、緩衝材の組立工程等において底部材が陥落したり、ずれたりすることが少なくすることができる。
【００１５】
また、本考案の緩衝材は、下縁に切り欠き部を有する第１の凹状基部と、前記第１の凹状基部の側縁の少なくとも一方から突出する第１の端部と、を有する上側部材と、上縁に切り欠き部を有する第２の凹状基部と、前記第２の凹状基部の側縁の少なくとも一方から突出する第３の端部と、を有する下側部材と、下縁に沿って並んだ複数の開口部を有する側面部材と、を有することを特徴とする。この場合、前記上側部材は、前記凹状基部の側縁の一方に前記第１の端部を有し、前記凹状基部の側縁の他方に第２の端部を有し、前記第２の端部は前記第１の端部よりも高さ方向に大きくてもよい。
【００１６】
この構成によれば、緩衝材を側面部材と底部材となる上側部材及び下側部材とに分離できるから、被包装物又は包装容器に応じた緩衝材の設計変更が容易であり、保管・輸送するパーツを少なくすることもできる。また、このように緩衝材を側面部材と上側部材と下側部材とに分離できる構成にしても、側面部材の開口部によって上側部材と下側部材との方向・配置が示されるから、緩衝材の形状や各パーツの配置を保持して、緩衝材を包装容器に入れることができる。従って、作業効率・緩衝機能等をよくすることができる。なお、この構成の緩衝材は、平面形状であっても、立体形状に組み立てられたものであってもよい。また、第１の端部と第２の端部とを異なる形状にした場合、上側部材と下側部材とを容易に識別でき、また組立工程においては上側部材と下側部材との方向・配置を特定しやすくできる。
【００１７】
また、本考案の緩衝材は、前記側面部材は周縁の少なくとも一部に切り欠き部を有し、前記切り欠き部は、前記第２の端部よりも高さ方向に大きいことを特徴とする。
【００１８】
この構成によれば、組立工程において、側面部材の切り欠き部により底部材の端部を避けて、側面部材を小さく折り畳むことができる。これにより、緩衝材を包装容器に挿入しやすくでき、作業効率を向上することができる。なお、側面部材の端部を合わせて、緩衝材を完成させるのは、包装容器に入れる前後いずれでもよい。
【００１９】
また、本考案の緩衝材は、前記上側部材又は前記下側部材は、前記上側部材と前記下側部材とを識別するための手段を有することを特徴とする。
【００２０】
この構成によれば、上側部材と下側部材とを容易に識別でき、また組立工程等において上側部材と下側部材との方向・配置を特定しやすくできる。なお、上側部材と下側部材とを識別するための手段は、上側部材の端部と下側部材の端部との形状を変える手段の他、上側部材又は下側部材に識別マークを印刷する、識別孔を形成する等の手段により識別することが考えられるが、これらに限定されるものではない。
【００２１】
また、本考案の緩衝材は、前記開口部がスリット形状であってもよい。この構成によれば、側面部材と上側部材及び下側部材とを強固に固定することができる。
【００２２】
また、本考案の緩衝材は、前記開口部の端部の少なくとも一方に切込部を有してもよい。この構成によれば、上側部材及び下側部材の一部を側面部材の開口部に入れやすくすることができる。
【００２３】
また、本考案の緩衝材は、前記側面部材が平面形状の部材からなるものであってもよい。この構成によれば、側面部材を小さく折り畳むことができるので、組立工程等において包装容器に緩衝材を出し入れしやすくできる。また、緩衝材をコンパクトに保管・輸送等することができる。
【００２４】
また、本考案の緩衝材は、前記上側部材と前記下側部材とは凹部を有し、前記凹部を嵌め合わせることによって、前記上側部材と前記下側部材とが係合されてもよい。この構成によれば、前記上側部材と前記下側部材とも、平面形状の部材から構成することができ、緩衝材をコンパクトに保管・輸送等することができる。
【００２５】
また、本考案の緩衝材は、前記側面部材が折線部を有し、前記開口部の少なくとも一部が前記折線部上に位置してもよい。この構成によれば、組立後の緩衝材において側面部材の対角線上に上側部材及び下側部材を配置することができるから、強固な緩衝材を形成することができる。
【００２６】
本考案の包装物は、包装容器と、前記包装容器に内包される上述の緩衝材と、を含むことを特徴とする。また、本考案の包装体は、包装容器と、前記包装容器に内包される被包装物と、前記包装容器内で前記被包装物を支持する前述の緩衝材と、を含むことを特徴とする。
【００２７】
これらの構成によれば、被包装物を衝撃等から効果的に保護することができる。
【図面の簡単な説明】
【００２８】
【図１】本考案の第１の実施形態に係る包装体の断面図である。
【図２】本考案の第１の実施形態に係る十字底部材のパーツの正面図であり、図２（ａ）は上側部材１０を示し、図２（ｂ）は下側部材２０を示す。
【図３】本考案の第１の実施形態に係る緩衝材の斜視図である。
【図４】本考案の第１の実施形態に係る緩衝材の組立工程を示す図であり、図４（Ａ）、（Ｂ）及び（Ｃ）は上面図であり、図４（ａ）、（ｂ）及び（ｃ）は図４（Ａ）、（Ｂ）及び（Ｃ）にそれぞれ対応する斜視図である。
【図５】本考案の第１の実施形態に係る緩衝材の一部断面図であり、図５（Ａ）は図４（Ｃ）及び（ｃ）の線Ａ−Ａ´における一部断面図、図５（Ｂ）は図４（Ｃ）及び（ｃ）の線Ｂ−Ｂ´における一部断面図である。
【図６】本考案の第２の実施形態に係る緩衝材の斜視図である。
【図７】本考案の第２の実施形態に係る十字底部材のパーツの正面図であり、図７（ａ）は上側部材５０を示し、図７（ｂ）は下側部材６０を示す。
【図８】本考案の第３の実施形態に係る側面部材の正面図である。
【考案を実施するための形態】
【００２９】
以下、本考案の緩衝材、この緩衝材を含む包装物及びこの緩衝材を含む包装体について詳細に説明する。
【００３０】
（第１の実施形態）
本考案の第１の実施形態にかかる緩衝材、緩衝材を含む包装物及び緩衝材を含む包装体の構造及び製造方法について、図１から図５を用いて説明する。
【００３１】
図１に示すように、一升瓶、花瓶や飲料入りペットボトル等の被包装物３が、化粧箱２によって包装され、被包装物３と化粧箱２との間には緩衝材１が配置される。緩衝材１は、上側部材１０及び下側部材２０が十字状に交差した十字底部材と、側面部材３０とを組み合わせることにより構成される。この十字底部材は、化粧箱２の内底に配置され、被包装物３の底部を支持する。化粧箱２に入るように、上側部材１０及び下側部材２０の幅は、化粧箱２の内底の対角線の長さよりも小さい。また、側面部材３０は、化粧箱２の側板に合わせた形状を呈しており、この側板に沿って配置され、被包装物３の側部を保護する。化粧箱２に入るように、側面部材３０の高さは化粧箱２の高さよりも小さい。
【００３２】
まず、図２に示すように、ダンボールを打抜加工して、以下のような形状の十字底部材の上側部材１０と下側部材２０とを形成する。上側部材１０と下側部材２０は、被包装物３が嵌る凹状基部１３、２３を有する。被包装物３の形状に合わせて、凹状基部１３、２３の凹み部の底部は弧状に湾曲して形成される。この凹状基部１３、２３の形状は、被包装物２の形状に合わせて、設計変更することができる。この凹状基部１３の下縁には、下方からの切り欠き部１４が設けられている。同様に、凹状基部２３の上縁にも、上方からの切り欠き部２４が設けられている。上側部材１０は、凹状基部１３の一の側縁上部から突出した端部１２を有し、凹状基部１３の他の側縁には端部１２よりも高さ方向に大きい端部１１を有する。下側部材２０は、凹状基部２３の両側縁上部から突出した端部２１、２２を有する。
【００３３】
また、図３に示すように、ダンボールを打抜加工して、以下のような形状の側面部材３０を形成する。側面部材３０には、側面部材３０を四角柱形状に組み立てるために、側面板３９、４０、４１、４２が連設され、これらの間に折り線３６、３７、３８が設けられる。側面部材３０は、折り線３６、３７、３８上にそれぞれ開口部３１、３２、３３を有する。開口部３１、３２、３３は、側面部材３０の下縁に沿って並んで設けられている。十字底部材となる上側部材１０及び下側部材２０は、上述の端部１２、２１、２２を有する。この端部１２、２１、２２は、開口部３１、３２、３３の大きさ、形状及び位置に対応した大きさ、形状及び位置に形成される。側面部材３０の開口部３１、３２、３３は、端部１２、２１、２２よりも、高さ方向または幅方向に大きくてもよい。この場合、十字底部材を側面部材３０から分離しやすくできる。また、側面部材３０の開口部３１、３２、３３は、端部１２、２１、２２よりも、高さ方向または幅方向に小さくてもよい。この場合、端部１２、２１、２２を開口部３１、３２、３３周囲の側面部材３０が挟み込むことにより、側面部材３０と十字底部材とを強固に固定しやすくできる。一方、上側部材１０の端部１１は、開口部３１、３２、３３に入らないので、開口部３１、３２、３３に対応した大きさでなく、端部１１の高さａは端部１２の高さｂよりも大きく設けられる。側面部材３０の周縁の角部には、切り欠き部３４、３５が設けられ、切り欠き部３４、３５の高さｂは、端部１１の高さａよりも大きく形成される。これにより、上側部材１０と下側部材２０との識別が容易になり、緩衝材１の組立工程等において、十字底部材の方向・配置の誤りを少なくすることができる。
【００３４】
次に、図４に示すように、上述の上側部材１０と下側部材２０を、直交させて対向配置して、図２に示したように切り欠き部１４と２４によって嵌め合わすことにより、十字底部材を設ける。この後、図４（Ａ）及び（ａ）のように、上述の側面部材３０を折れ線３７に沿って折った後、図４（Ｂ）及び（ｂ）のように、側面部材３０を折れ線３６及び３８に沿って折る。この際、図５（Ａ）及び（Ｂ）に示すように、上側部材１０の端部１２を側面部材３０の開口部３２に差し入れ、同様に下側部材２０の端部２１を開口部３１に、端部２２を開口部３３に差し入れて、十字底部材と側面部材３０とを繋ぎ合わせる。また、図４（Ｂ）及び（ｂ）に示すように、切り欠き部３４、３５によって、上側部材１０の端部１１を避けて、側面板３９と４２とを重ねることにより、側面部材３０を略三角柱形状にする。この状態で、緩衝材１を化粧箱２に挿入する。これにより、緩衝材１を小さくできるから、緩衝材１を化粧箱２に入れやすくすることができ、作業効率をあげることができる。また、側面部材３０の開口部３１、３３に下側部材２０の端部２１，２２が差し込まれることにより、下側部材２０は側面部材３０によって支持されるから、組立工程等において上側部材１０が陥落したり、ずれたりすることを防ぐことができる。この後、図４（Ｃ）、（ｃ）及び図５（Ａ）のように、側面部材３０の側面板３９と４２とを開いて、端部４３と４４とを合わせて、端部４３と４４とを端部１１の上方に配置する。端部４３と４４とが離間する場合や端部４３と４４とを固定したい場合等には、端部４３と４４とをテープ等で固定してもよい。以上の工程によって、緩衝材１入りの化粧箱２を含む包装物が形成される。さらに、一升瓶、花瓶や飲料入りペットボトル等の被包装物３をこの包装物に入れて、化粧箱２の蓋体４を閉じることによって、包装体が形成される。
【００３５】
（第２の実施形態）
本考案の第２の実施形態にかかる緩衝材、この緩衝材を含む包装物及びこの緩衝材を含む包装体の構造及び製造方法は、第１の実施形態のそれらと比較して、緩衝材の形状及びこの形状に応じた製造方法である点で相違する。この相違点を中心に、本考案の第２の実施形態にかかる緩衝材、この緩衝材を含む包装物及びこの緩衝材を含む包装体の構造及び製造方法について、図６及び図７を用いて説明する。
【００３６】
図６に示すように、側面部材７０は、側面部材７０を四角柱形状に組み立てるために、側面板７９、８０、８１、８２、８３が連設され、これらの間に折り線７５、７６、７７、７８が設けられる。側面板７９及び８３の幅は側面板８１の幅の半分である。側面部材７０は、折り線７５、７６、７７、７８上にそれぞれ開口部７１、７２、７３、７４を有する。開口部７１、７２、７３、７４は、側面部材７０の下縁に沿って、並んで設けられる。側面部材７０には、開口部７１、７２、７３、７４の周囲に、それらの上辺及び下辺を延長するように切込部が設けられる。これにより、後述の上側部材５０の端部５１、５２と下側部材の端部６１、６２とを、側面部材５０の開口部７１、７２、７３、７４に差し込みやすくすることができる。図７に示すように、十字底部材となる上側部材５０と下側部材６０は、被包装物が嵌る凹状基部５３、６３を有する。上側部材５０は、凹状基部５３から突出した端部５１、５２を両側縁の上部に有する。同様に、下側部材６０も、凹状基部６３から突出した端部６１、６２を両側縁の上部に有する。この凹状基部５３、６３の形状は、被包装物の形状に合わせて、設計変更することができる。この凹状基部５３の下縁には、切り欠き部５４が設けられている。同様に、凹状基部６３の上縁にも、切り欠き部６４が設けられている。上側部材５０と下側部材６０とを直交するように対向配置して、切り欠き部５４と６４とによって嵌め合わすことにより、側面部材７０の開口部７１、７２、７３、７４にすべての端部を差し込むことができる十字底部材を設ける。
【００３７】
側面部材７０は、折れ線７５、７６、７７、７８に沿って折って、端部８４、８５を合わせる。この際、上側部材５０の端部５１を開口部７１に、端部５２を開口部７３に差し入れ、同様に下側部材６０の端部６１を開口部７４に、端部６２を開口部７２に差し入れて、十字底部材と側面部材７０とを繋ぎ合わせて緩衝材を設ける。端部８４と８５とが離間している場合や端部８４と８５とを固定したい場合等には、端部８４と８５とをテープ等で固定してもよい。この状態で緩衝材を化粧箱に挿入する。以上の工程によって、緩衝材入りの化粧箱を含む包装物が形成される。さらに、一升瓶、花瓶や飲料入りペットボトル等の被包装物をこの包装物に入れて、化粧箱の蓋体をすることによって、包装体が形成される。本考案の第２の実施形態にかかる緩衝材、この緩衝材を含む包装物及びこの緩衝材を含む包装体の構造及び製造方法は、これ以外は第１の実施形態と同じであるので、説明を省略する。
【００３８】
（第３の実施形態）
本考案の第３の実施形態にかかる緩衝材、この緩衝材を含む包装物及びこの緩衝材を含む包装体の構造は、第１の実施形態のそれらと比較して、図８に示すように側面部材の開口部９１の形状がスリット状である点で相違する。側面部材には、開口部９１の周囲に切込部が設けられている。本考案の第３の実施形態にかかる緩衝材、この緩衝材を含む包装物及びこの緩衝材を含む包装体の構造及び製造方法は、これ以外は第１の実施形態と同じであるので、説明を省略する。
【００３９】
本発明は、上述の実施形態に記載される構造及び製造方法に限定されるものではない。例えば、上述の各実施形態においては、被包装物を衝撃等から保護するために、上側部材、下側部材及び側面部材は、材料がダンボールであったが、厚紙等の他の紙材料であっても、樹脂であってもよい。十字底部材は、一対の上側部材と下側部材のみから構成されるものの他、複数の上側部材と下側部材から構成されるものであってもよい。また、十字底部材は、分離した上側部材と下側部材とを組み合わせて形成するものの他、一体的に成型されたものであってもよい。側面部材の開口部は、矩形形状やスリット状に限らず、丸状等の他の形状であってもよい。包装容器は、緩衝材及び被包装物を一対ずつ入れるものだけでなく、複数入れられるものであってもよい。包装容器は、化粧箱以外の樹脂製のケース、段ボール箱などであってもよい。緩衝材は、四角柱形状のほかに六角柱形状等の多角形形状や円柱形状等を呈してもよい。緩衝材は、化粧箱に挿入した後に完成させてもよいし、化粧箱に挿入する前に完成させてもよい。上側部材と下側部材とは、化粧箱に入れる前に側面部材と係合させる場合に限らず、側面部材を化粧箱に入れた後に化粧箱内で側面部材と係合させてもよい。上側部材、下側部材及び側面部材とは、平面形状あっても、立体形状に組み立てられた状態であってもよい。
【符号の説明】
【００４０】
１  緩衝材
２  化粧箱
３  被包装物
４  蓋体
１０，５０  上側部材
１１，１２，５１，５２  端部
１３，５３  凹状基部
１４，５４  切り欠き部
２０，６０  下側部材
２１，２２，６１，６２  端部
２３，６３  凹状基部
２４，６４  切り欠き部
３０，７０  側面部材
３１，３２，３３  開口部
３４、３５  切り欠き部
３６，３７，３８  折り線
３９，４０，４１，４２  側面板
４３，４４  端部
７１，７２，７３，７４  開口部
７５，７６，７７，７８  折り線
７９，８０，８１，８２，８３  側面板
８４，８５  端部
９１  開口部
ａ，ｂ，ｃ  高さ方向の大きさ
【図１】
0003164316.tif 000003
【図２】
0003164316.tif 000004
【図３】
0003164316.tif 000005
【図４】
0003164316.tif 000006
【図５】
0003164316.tif 000007
【図６】
0003164316.tif 000008
【図７】
0003164316.tif 000009
【図８】
0003164316.tif 000010
【手続補正書】
【提出日】平成22年9月28日(2010.9.28)
【手続補正１】
【補正対象書類名】実用新案登録請求の範囲
【補正対象項目名】請求項１
【補正方法】変更
【補正の内容】
【請求項１】
化粧箱に収納される被包装物の底部と側面部に配置されるパッキング用緩衝材であって、
上側部材と下側部材とをそれぞれほぼ中央に形成された切り欠き部を互いに差し込んで組み立てられる底部材と、
帯状をなし、前記底部材を囲むようにして両端辺のそれぞれを合わせることにより筒状に構成される側面部材と、を有し
前記側面部材は、前記底部材に対向する部分において、少なくとも、前記側面部材の長手方向に沿って並設された複数の開口部が形成され、
前記底部材は、前記上側部材および前記下側部材のそれぞれの各端部のうち前記開口部に対応する端部において、該端部の一部から突出されて前記開口部に差し込まれる突起部が形成されていることを特徴とするパッキング用緩衝材。